(57)【要約】【課題】  ユーザが誤った記録モードで音楽データを記録してしまうことを防止できるＭＤディスクのフォーマット方法を提供すること。【解決手段】  記録再生装置は、Ｈｉ−ＭＤモードで記録されるデータを管理する第１の管理情報、または、通常ＭＤモードで記録されるデータを管理する第２の管理情報をディスクに書き込む書込手段と、Ｈｉ−ＭＤモードまたは通常ＭＤモードを選択する選択手段と、第１の管理情報または第２の管理情報を記憶するためのメモリと、選択手段がＨｉ−ＭＤモードを選択した場合、第１の管理情報をメモリに保存し、選択手段が通常ＭＤモードを選択した場合、第２の管理情報をメモリに保存する保存手段とを備える。書込手段は、音楽データが未記録の状態で、選択手段によって選択されメモリに記憶されている第１の管理情報または第２の管理情報をディスクに書き込む。【選択図】図５
2006228299.tif 000002
【特許請求の範囲】
【請求項１】
第１の記録モードで記録されるデータを管理する第１の管理情報、または、第２の記録モードで記録されるデータを管理する第２の管理情報を記録媒体に書き込む書込手段と、
該第１の記録モードまたは該第２の記録モードを選択する選択手段と、
該第１の管理情報または該第２の管理情報を記憶するための記憶デバイスと、
該選択手段が該第１の記録モードを選択した場合、該第１の管理情報を該記憶デバイスに保存し、該選択手段が該第２の記録モードを選択した場合、該第２の管理情報を該記憶デバイスに保存する保存手段とを備え、
記録媒体にデータが未記録の状態で、該書込手段が、該選択手段によって選択され該記憶デバイスに記憶されている該第１の管理情報または該第２の管理情報を記録媒体に書き込む、記録再生装置。
【請求項２】
データが未記録の状態で、前記記録再生装置の電源をオフ状態にする指示または該記録再生装置から記録媒体を取り出す指示が入力された場合に、前記書込手段が前記記憶デバイスに記憶されている前記第１の管理情報または前記第２の管理情報を記録媒体に書き込んだ後、該記録再生装置の電源をオフ状態にする、または該記録再生装置から記録媒体が取り出される、請求項１に記載の記録再生装置。
【請求項３】
データが未記録の状態で、前記記憶デバイスに記憶されている前記第１の管理情報または前記第２の管理情報を消去する指示が入力された場合に、前記書込手段が該記憶デバイスに記憶されている該第１の管理情報または該第２の管理情報を記録媒体に書き込んだ後、該第１の管理情報または該第２の管理情報が該記憶手段から消去される、請求項１に記載の記録再生装置。
【請求項４】
記録媒体に前記第１の管理情報または前記第２の管理情報を書き込む必要があるか否かを示す書込要求情報を設定および／または解除する情報設定手段をさらに備え、
該書込要求情報が設定されているとき、前記書込手段が該第１の管理情報または該第２の管理情報を記録媒体に書き込む、請求項１〜３のいずれかに記載の記録再生装置。
【請求項５】
記録媒体にデータが記録される際に、前記情報設定手段が前記書込要求情報を解除する、請求項４に記載の記録再生装置。
【発明の詳細な説明】
【技術分野】
【０００１】
本発明は、ディスクに第１の記録モード、または第２の記録モードの管理情報を書き込み、ディスクをフォーマット処理する記録再生装置に関する。
【背景技術】
【０００２】
音楽データの記録再生装置としてミニディスク（ＭＤ）装置が使用されている。ＭＤの規格には、音楽データのみを記録する通常ＭＤ規格と、音楽データの他にパーソナルコンピュータ（以下、ＰＣとする）で扱われるＰＣデータも記録できるＨｉ−ＭＤ（登録商標、以下同様）規格とが存在する。Ｈｉ−ＭＤ規格で記録再生できるディスクとして、現在２種類のディスクが市販されている。１つは、通常のＭＤ規格に対応した機器でも記録再生可能な通常ＭＤディスクである。もう１つはＨｉ−ＭＤ規格に対応した機器のみで記録再生できるＨｉ−ＭＤディスクである。Ｈｉ−ＭＤディスクはＨｉ−ＭＤモードでしか記録できないが、通常ＭＤはＨｉ−ＭＤモードでも通常ＭＤモードでも記録できる。通常ＭＤディスクをどちらの記録モードで記録するかは、フォーマット処理を実行する際に決定される。フォーマット処理とは、ディスクに記録されたデータを全て消去し、かつ、ディスクに通常ＭＤまたはＨｉ−ＭＤの管理情報を書き込むことである。通常ＭＤの管理情報がディスクに書き込まれると、通常ＭＤモードで音楽データを記録することができ、Ｈｉ−ＭＤの管理情報がディスクに書き込まれると、Ｈｉ−ＭＤモードで音楽データを記録することができる。
【０００３】
以下、従来のＨｉ−ＭＤ装置における通常ＭＤディスクをフォーマットするフォーマット処理の手順を説明する。まず、ユーザは通常ＭＤモードまたはＨｉ−ＭＤモードのどちらでフォーマット処理を実行するかを選択する。次に、ユーザがフォーマット実行指示を入力すると、ディスクに記録されたデータが全て消去されるが、この時点ではディスクは、通常ＭＤまたはＨｉ−ＭＤの管理情報がディスクに書き込まれておらず、フォーマット処理は完了していない。この時点ではＨｉ−ＭＤ装置のマイコンに、通常ＭＤまたはＨｉ−ＭＤのどちらの管理情報を書き込むかを記憶し、作成した管理情報をメモリに保存するだけである。その後、ディスクに音楽データを記録終了したあと、Ｈｉ−ＭＤ装置はマイコンが記憶する通常ＭＤまたはＨｉ−ＭＤの管理情報をメモリから読み出してディスクに書き込む。その結果、ディスクは通常ＭＤモードのディスクまたはＨｉ−ＭＤモードのディスクになる。
【０００４】
上記従来のＨｉ−ＭＤ装置のフォーマット処理には以下の問題がある。すなわち、フォーマット実行指示を入力しても、管理情報がディスクに書き込まれておらず、マイコンに記録モードが設定されている（マイコンがＨｉ−ＭＤモードまたは通常ＭＤモードを記憶している）だけである。それにも関わらず、ユーザはディスクに既に管理情報が書き込まれ、フォーマット処理が完了していると誤解してしまう。その結果、音楽データを記録せずにディスクをＨｉ−ＭＤ装置から取り出す（または電源をオフ状態にする）と、ディスクに管理情報が書き込まれることなく、メモリに記憶された管理情報が消去されてしまう。再び同じディスクをＨｉ−ＭＤ装置に挿入して音楽データをディスクに記録する際には、ディスクに管理情報が書き込まれていないので、その時のマイコンが記憶する記録モードに基づいて、管理情報が新たに作成されて、その管理情報に基づいた記録モードで音楽データが記録される。そのため、フォーマット実行指示を入力したときにユーザが選択した記録モードと、音楽データを記録する際にマイコンが記憶する記録モードとが異なっている場合、ユーザが認識している記録モードとは異なる記録モードで音楽データがディスクに記録されてしまう。
【０００５】
例えば、通常ＭＤのディスク１をＨｉ−ＭＤモードでフォーマット指示を入力後、音楽データを記録せずにＨｉ−ＭＤ装置から取り出す。この時点では、Ｈｉ−ＭＤ装置のマイコンはＨｉ−ＭＤモードを記憶している。次に、ディスク２を通常ＭＤモードでフォーマット指示を入力後、音楽データを記録せずにＨｉ−ＭＤ装置から取り出す。この時点で、ＭＤ装置のマイコンは通常ＭＤモードを記憶する。その後、ディスク１を再びＨｉ−ＭＤ装置に挿入して音楽データの記録を開始すると、ユーザはディスク１がＨｉ−ＭＤモードで記録可能なディスクであると認識している一方で、Ｈｉ−ＭＤ装置のマイコンは通常ＭＤモードを記憶しているので、ディスク１はＨｉ−ＭＤモードではなく通常ＭＤモードで音楽データが記録されてしまう。
【０００６】
以上のように、従来Ｈｉ−のＭＤ装置のフォーマット処理はユーザにとって非常にわかりにくく、そのため誤った記録モードで音楽データを記録していまうという問題を有する。
【０００７】
【特許文献１】特開２００４−１９２６８５号公報
【発明の開示】
【発明が解決しようとする課題】
【０００８】
本発明の目的は、ユーザが誤った記録モードで音楽データを記録してしまうことを防止できるディスクのフォーマット方法を提供することである。
【課題を解決するための手段】
【０００９】
本発明の好ましい実施形態による記録再生装置は、第１の記録モードで記録されるデータを管理する第１の管理情報、または、第２の記録モードで記録されるデータを管理する第２の管理情報を記録媒体に書き込む書込手段と、該第１の記録モードまたは該第２の記録モードを選択する選択手段と、該第１の管理情報または該第２の管理情報を記憶するための記憶デバイスと、該選択手段が該第１の記録モードを選択した場合、該第１の管理情報を該記憶デバイスに保存し、該選択手段が該第２の記録モードを選択した場合、該第２の管理情報を該記憶デバイスに保存する保存手段とを備える。記録媒体にデータが未記録の状態で、該書込手段は、該選択手段によって選択され該記憶デバイスに記憶されている該第１の管理情報または該第２の管理情報を記録媒体に書き込む。
【００１０】
フォーマット処理を実行する指示が入力され、フォーマット処理を実行する記録モードが選択されると、保存手段は選択された記録モードの管理情報を記憶デバイス内に保存する。そして、書込手段は、ディスクにデータ（例えば、音楽データ）が未記録の状態で、記憶デバイスに記憶されている管理情報を記録媒体（例えば、ディスク）に書き込む。そのため、フォーマット処理を実行する指示が入力された後、ディスクにデータを記録しなくても、管理情報をディスクに書き込んで、選択された記録モードで記録可能なディスクにすることができる。従って、ディスクにデータを記録する前に記憶デバイスに記憶されている管理情報を消去するような処理が実行されたとしても、ディスクには既に管理情報が書き込まれている。そのため、ディスクにデータを記録する際にはディスクに書き込まれた管理情報が読み出され、その管理情報に基づいてデータが記録される。従って、誤った記録モードでディスクにデータが記録されることを防止できる。
【００１１】
好ましい実施形態においては、データが未記録の状態で、上記記録再生装置の電源をオフ状態にする指示または該記録再生装置から記録媒体を取り出す指示が入力された場合に、上記書込手段は、上記記憶デバイスに記憶されている上記第１の管理情報または上記第２の管理情報を記録媒体に書き込んだ後、該記録再生装置の電源をオフ状態にする、または該記録再生装置から記録媒体が取り出される。
【００１２】
好ましい実施形態においては、データが未記録の状態で、上記記憶デバイスに記憶されている上記第１の管理情報または上記第２の管理情報を消去する指示が入力された場合に、上記書込手段は該記憶デバイスに記憶されている該第１の管理情報または該第２の管理情報を記録媒体に書き込んだ後、該第１の管理情報または該第２の管理情報が該記憶手段から消去される。
【００１３】
フォーマット処理を実行する指示が入力された後、ディスクにデータが未記録の状態で、記録再生装置の電源をオフ状態にする（またはディスクが記録再生装置から取り出される）等の処理により、記憶デバイスに記憶された管理情報が消去される場合、これらの処理を実行する前に、書込手段はディスクに管理情報を書き込む。そのため、フォーマット処理を実行する指示が入力された後、ディスクにデータを記録しなくても、管理情報をディスクに書き込んで、選択された記録モードで記録可能なディスクにすることができる。従って、これらの処理を実行後、ディスクにデータを記録する際には、ディスクに書き込まれた管理情報が読み出され、その管理情報に基づいてデータが記録される。従って、誤った記録モードでディスクにデータが記録されることを防止できる。
【００１４】
好ましい実施形態においては、記録再生装置は、記録媒体に上記第１の管理情報または上記第２の管理情報を書き込む必要があるか否かを示す書込要求情報を設定および／または解除する情報設定手段をさらに備える。該書込要求情報が設定されているとき、上記書込手段が該第１の管理情報または該第２の管理情報を記録媒体に書き込む。
【００１５】
フォーマット処理を実行する指示が入力された場合、保存手段が記憶デバイスに管理情報を保存した後、情報設定手段は書込要求フラグ（書込要求情報）を設定する。記録再生装置の電源をオフ状態にする（またはディスクが記録再生装置から取り出される）等の処理が実行される前に、書込手段は、書込要求フラグの設定状態を判断し、書込要求フラグが設定されていれば、ディスクに管理情報を書き込む。従って、書込手段は書込要求フラグの設定状態を判断することにより、ディスクに管理情報を書き込む必要があることを判断できる。
【００１６】
好ましい実施形態においては、記録媒体にデータが記録される際に、上記情報設定手段は上記書込要求情報を解除する。
【００１７】
フォーマット処理を実行する指示が入力された後、ディスクにデータを記録する場合には、記録再生装置の電源をオフ状態にする（またはディスクが記録再生装置から取り出される）等の処理を実行する前に、管理情報をディスクに書き込む必要がない。データの記録を終了すると必ず管理情報をディスクに書き込むからである。そのため、情報設定手段は、データの記録が開始されると書込要求フラグを解除する。その結果、記録再生装置の電源をオフ状態にする（またはディスクが記録再生装置から取り出される）前には、書込手段が書込要求フラグが解除されていると判断して、ディスクに管理情報を書き込まない。従って、管理情報の無駄な書き込みを防止でき、かつ、管理情報の二重書き込みエラーが防止される。
【発明の効果】
【００１８】
本発明によると、フォーマット処理を実行する指示が入力された後、ディスクにデータを記録しなくても、管理情報をディスクに書き込んで、選択された記録モードで記録可能なディスクにすることができる。
【発明を実施するための最良の形態】
【００１９】
以下、本発明の好ましい実施形態について、図面を参照して具体的に説明するが、本発明はこれらの実施形態には限定されない。
【００２０】
［Ｈｉ−ＭＤ（登録商標、以下同様）装置の構成］
図１は、本発明の好ましい実施形態による記録再生装置をＨｉ−ＭＤ装置（以下、単にＭＤ装置とする場合がある）を例に挙げて示す概略ブロック図である。ＭＤ装置１は、ディスク（記録媒体）を第１または第２の記録モードでフォーマット処理を実行する。記録モードとは、同一のディスクに対して複数の記録方式を有しており、それぞれの記録方式のことをいう。具体的には、Ｈｉ−ＭＤモード（第１の記録モード）および通常ＭＤモード（第２の記録モード）が存在する。Ｈｉ−ＭＤモードは、ディスクに音楽データだけでなくパーソナルコンピュータ（ＰＣ）で扱うことのできるＰＣデータ（例えば、テキストデータ、ＡＶファイル等）も記録可能な記録モードである。通常ＭＤモードは、音楽データしか記録できない従来の記録モードである。なお、フォーマット処理とは、ディスクに音楽データおよび／またはＰＣデータが既に記録されている場合に、これらのデータを全て消去する消去処理と、データを消去したディスクの管理情報記憶領域（例えば、Ｕ−ＴＯＣ領域等）に、Ｈｉ−ＭＤの管理情報（第１の管理情報、例えば、Ｕ−ＴＯＣ）または通常ＭＤの管理情報（第２の管理情報、例えば、Ｕ−ＴＯＣ）を書き込む書込処理（物理フォーマットを変更する処理）との総称を意味する。ディスクには、Ｈｉ−ＭＤディスクと通常ＭＤディスクとがある。Ｈｉ−ＭＤディスクは、Ｈｉ−ＭＤモードでしか音楽データを記録できないＨｉ−ＭＤ専用ディスクである。通常ＭＤディスクは、Ｈｉ−ＭＤモードまたは通常ＭＤモードのどちらでも音楽データを記録できるディスクである。すなわち、通常ＭＤディスクは、フォーマット処理を実行することによって、Ｈｉ−ＭＤモードのディスクにすることができる。
【００２１】
ＭＤ装置１は、システム制御部２、操作部３、表示部４、メカ制御部５およびメカ部６を備える。システム制御部２は、ＭＤ装置１全体の動作を制御するものであり、代表的にはマイクロコンピュータ（以下、マイコンとする）である。システム制御部２は、例えば内蔵するＲＯＭ（図示しない）に格納された各プログラムを実行することにより、各処理（例えば、後述する図４および図５）を実行する。システム制御部２は、選択部２Ａおよび情報設定部２Ｂを含む。選択部２Ａは、ユーザからの入力に基づいて記録モードを選択して、選択された記録モードを設定するコマンドをメカ制御部５に送信する。情報設定部２Ｂは、後述する書込要求フラグ（書込要求情報）を設定または解除する。
【００２２】
操作部３は、ユーザからの各指示が入力され、ユーザの指示に基づく信号をシステム制御部２に与えるものであり、例えば、ＭＤ装置１本体に設けられたキー、ボタンおよび／またはリモコン等が採用され得る。
【００２３】
表示部４は、選択（または再生）されている音楽データに関する情報を表示するものであり、例えば液晶表示部等である。また、表示部４は、フォーマット処理を実行するか否かをユーザに選択させる画面、およびフォーマット処理をＨｉ−ＭＤモードで実行するか、通常ＭＤモードで実行するかをユーザに選択させる画面を表示する。
【００２４】
メカ制御部５は、システム制御部２からのコマンドに基づいてメカ部６を制御し、かつ、システム制御部２にディスクに関する情報等を送信するものであり、代表的にはマイクロコンピュータ（以下、マイコンとする）である。メカ制御部５は、例えば内蔵するＲＯＭ（図示しない）に格納された各プログラムを実行することにより、各処理（例えば、後述する図４および図５）を実行する。
【００２５】
メカ制御部５は、例えば、ユーザによって選択された記録モード（Ｈｉ−ＭＤモードまたは通常ＭＤモード）でフォーマット処理を実行するようにメカ部６を制御する。メカ制御部５は、書込制御部５Ａおよび保存制御部５Ｂを含む。書込制御部５Ａは、Ｈｉ−ＭＤの管理情報または通常ＭＤの管理情報をディスクに書き込むよう各部を制御する。ディスクに管理情報を書き込むとは、ディスクに管理情報が記録された状態にして、管理情報の記録モードで音楽データを記録可能な状態にすることを意味する。保存制御部５Ｂは、Ｈｉ−ＭＤの管理情報または通常ＭＤの管理情報を後述するメモリ１５に保存する。管理情報を保存するとは、メモリ１５に管理情報を入力して、一時的にメモリ１５内で記憶されている状態にする動作を意味する。また、メカ制御部５は、ユーザの操作に応じて記録モードを設定する（つまり、内蔵されたＲＡＭ（図示せず）に記録モードが記憶される）。
【００２６】
メカ部６は、代表的には、サーボ回路７、ヘッド部８、ＲＦアンプ９、アドレスデコーダ１０、信号処理部１１、メモリ制御回路１２、ＤＡＣ（Ｄｉｇｉｔａｌ  Ａｎａｌｏｇ  Ｃｏｎｖｅｒｔｅｒ）１３、ＡＤＣ（Ａｎａｌｏｇ  Ｄｉｇｉｔａｌ  Ｃｏｎｖｅｒｔｅｒ）１４およびメモリ１５を含む。
【００２７】
サーボ回路７は、ディスクにアクセスするためのものであり、ヘッド部８およびＲＦアンプ９が接続されている。ヘッド部８は、ディスクを回転させるスピンドル、およびディスクに記録されているデータの読み出しおよび書き込みを実行するピックアップ等を有する（図示せず）。サーボ回路７は、メカ制御部５からの指示に基づきヘッド部８を制御する。
【００２８】
ＲＦアンプ９は、サーボ回路７を介してヘッド部８から送られる信号を増幅し、アドレスデコーダ１０に供給する。アドレスデコーダ１０は、ヘッド部８からの信号に基づいて、音楽データのアドレスをデコードし、信号処理部１１に与える。このアドレスは各処理に用いられる。
【００２９】
信号処理部１１は、音楽データの変調および復調、ならびにエンコードおよびデコードを実行する。音楽データの変調および復調には、通常ＭＤモードのデータに対してはＥＦＭが採用され、Ｈｉ−ＭＤモードのデータに対しては１−７ＲＬＬが採用され得る。エンコードおよびデコードには、通常ＭＤモードのデータに対してはＡＣＩＲＣが採用され、Ｈｉ−ＭＤモードのデータに対してはＲＳ−ＬＤＣが採用され得る。なお、詳細な構成は、上記特許文献１に詳しく記載されている。信号処理部１１には、ＤＡＣ１３およびＡＤＣ１４が接続されている。ＤＡＣ１３は、信号処理部１１からのデジタルデータをアナログデータに変換し、アナログ出力端子に供給する。ＡＤＣ１４は、アナログ入力端子から入力されたアナログデータをデジタルデータに変換し、信号処理部１１に供給する。また、信号処理部１１はデジタル入力端子が接続され、デジタルデータが入力される。また、図示しないがデジタル出力端子が設けられてもよい。
【００３０】
メモリ制御回路１２は、メモリ１５を接続し、メカ制御部５からの指示に基づいてメモリ１５を制御する。メモリ（記憶デバイス）１５は、例えばＤＲＡＭからなり、音楽データの記録や再生、または第１または第２の管理情報のバッファメモリとして機能する。
【００３１】
［通常ＭＤのディスク構造］
図２は、通常ＭＤモードで記録されたディスクの構造を示す概略図である。通常ＭＤモードのディスクは、書き換え不可能な情報であるＰ−ＴＯＣ２０１、および書き換え可能な情報であるＵ−ＴＯＣ２０２および音楽データ（トラック）２０３が記録される。例えば、Ｕ−ＴＯＣ２０２が通常ＭＤモードで記録される音楽データを管理する第２の管理情報として使用される。Ｕ−ＴＯＣ２０２は、音楽データの記録、消去などに応じて書き換えられ、各音楽データについての開始位置、終了位置およびネームなどを管理する。音楽データ２０３は、データエリア内にＡＴＲＡＣデータとして記録される。
【００３２】
［Ｈｉ−ＭＤのディスク構造］
図３は、Ｈｉ−ＭＤモードで記録されたディスク（Ｈｉ−ＭＤディスク、または、Ｈｉ−ＭＤモードでフォーマット処理を実行された通常ＭＤディスク）の構造を示す概略図である。Ｈｉ−ＭＤモードのディスクは、Ｐ−ＴＯＣ３０１、Ｕ−ＴＯＣ３０２およびＦＡＴ（Ｆｉｌｅ  Ａｌｌｏｃａｔｉｏｎ  Ｔａｂｌｅ）データ３０３、ならびに、図示しないプレイリスト、ユニークＩＤ、ハッシュ値等が記録される。例えば、Ｕ−ＴＯＣ３０２（但し、プレイリスト等の他の管理情報であってもよい）がＨｉ−ＭＤモードで記録される音楽データを管理する第１の管理情報として使用される。音楽データ３０４およびＰＣデータ３０５は共にＦＡＴシステム上のファイルとして記録される。プレイリストは、音楽データのアドレスを管理する情報であり、ＦＡＴシステム上の１つのファイルとして記録される。ユニークＩＤおよびハッシュ値は、ＰＣとの間でのデータ転送の際に認証処理または暗号化／復号化に用いられる情報である。
【００３３】
［記録モード設定およびデータ消去処理］
ユーザがフォーマット指示を入力し、Ｈｉ−ＭＤモードまたは通常ＭＤモードを選択すると、メカ制御部５がユーザによって選択された記録モードを記憶し、かつ、ディスクに記録済のデータを全て消去する処理を、図４を参照して説明する。
【００３４】
ユーザがフォーマット処理を実行する指示を入力すると、システム制御部２は操作部３からその旨を示す信号を受信する（Ｓ４０１）。次に、システム制御部２は、現在ＭＤ装置１に挿入されているディスクが、Ｈｉ−ＭＤディスクであるか否かを、メカ制御部５から送信される情報に基づいて判断する（Ｓ４０２）。
【００３５】
Ｈｉ−ＭＤディスクでなければ（通常ＭＤディスクであれば）（Ｓ４０２：ＮＯ）、Ｓ４０３〜Ｓ４０７においてフォーマット処理を実行する記録モード（Ｈｉ−ＭＤモードまたは通常ＭＤモード）を選択する。一方、Ｈｉ−ＭＤディスクであれば（Ｓ４０２：ＹＥＳ）、Ｈｉ−ＭＤディスクはＨｉ−ＭＤモードでしかフォーマット処理を実行できないので、Ｓ４０３〜Ｓ４０７の処理を飛ばして、Ｓ４０９へと進む。
【００３６】
まず、通常ＭＤディスクの場合について説明する。システム制御部２は、記録モードをＨｉ−ＭＤモードに設定するか否かを判断する（Ｓ４０３）。具体的には、ユーザにＨｉ−ＭＤモード、または、通常ＭＤモードを選択させる画面が表示部４に表示され、ユーザの選択に基づいて、システム制御部２はＨｉ−ＭＤモードに設定するか否かを判断する。
【００３７】
Ｈｉ−ＭＤモードが選択されたことを判断すると（Ｓ４０３：ＹＥＳ）、システム制御部２はメカ制御部５に記録モードをＨｉ−ＭＤモードに設定するためのＨｉ−ＭＤモードオンコマンドを送信する（Ｓ４０４）。メカ制御部５はシステム制御部２からコマンドを受信して、記録モードをＨｉ−ＭＤモードに設定する（Ｈｉ−ＭＤモードである旨を内蔵ＲＡＭに記憶する）（Ｓ４０５）。
【００３８】
一方、Ｈｉ−ＭＤモードではなく、通常ＭＤモードが選択されると（Ｓ４０３：ＮＯ）、システム制御部２はメカ制御部５に記録モードを通常ＭＤモードに設定するためのＨｉ−ＭＤモードオフコマンドを送信する（Ｓ４０６）。メカ制御部５はシステム制御部２からコマンドを受信して、記録モードを通常ＭＤモードに設定する（通常ＭＤモードである旨を図示しない内蔵ＲＡＭに記憶する）（Ｓ４０７）。
【００３９】
次に、Ｓ４０８〜Ｓ４１０およびＳ４１３〜Ｓ４１５において、通常ＭＤディスクがＨｉ−ＭＤモードでデータが記憶されていれば、Ｈｉ−ＭＤモードで記録されている全データを消去して、通常ＭＤモードでデータが記録されていれば、通常ＭＤモードで記録されている全データを消去する。具体的には、システム制御部２は、通常ＭＤディスクが、Ｈｉ−ＭＤモードでデータが記録済であるか否かを、メカ制御部５から送信される情報に基づいて判断する（Ｓ４０８）。Ｈｉ−ＭＤモードでデータが記録されていれば、Ｓ４０９に進み、そうでなければＳ４１３に進む。
【００４０】
Ｈｉ−ＭＤモードでデータが記録済である場合、システム制御部２はメカ制御部５にフォーマットコマンドを送信する（Ｓ４０９）。フォーマットコマンドは、Ｈｉ−ＭＤモードで記録されている全データ（音楽データおよびＰＣデータ）を消去するコマンドである。フォーマットコマンドは、後述の通常ＭＤの全消去コマンドと区別して使用される。
【００４１】
メカ制御部５はフォーマットコマンドを受信して、ディスクに記録されている全データ（音楽データおよびＰＣデータ）を消去し（Ｓ４１０）、Ｓ４１１へと進む。
【００４２】
一方、Ｈｉ−ＭＤモードでデータが記録されていない場合に（Ｓ４０８：ＮＯ）、システム制御部２はディスクに音楽データが記録されていないブランク状態であるか否かを判断する（Ｓ４１３）。ディスクがブランク状態でなければ（Ｓ４１３：ＮＯ）、システム制御部２はメカ制御部５に全消去コマンドを送信する（Ｓ４１４）。全消去コマンドは、音楽データを全て消去するためのコマンドである。メカ制御部５は、全消去コマンドを受信して、ディスクに記録されている音楽データを全て消去する（Ｓ４１５）。Ｓ４１３に戻って、ディスクはブランク状態であると判断されると（Ｓ４１３：ＹＥＳ）、Ｓ４１１に進む。
【００４３】
ここで、Ｓ４０３およびＳ４０８での判断内容について以下にまとめる。Ｓ４０３でＹＥＳ、Ｓ４０８でＮＯと判断されるのは、ディスクの記録モードを通常ＭＤモードからＨｉ−ＭＤモードに変更する場合である。Ｓ４０３でＮＯ、Ｓ４０８でＹＥＳと判断されるのは、ディスクの記録モードをＨｉ−ＭＤモードから通常ＭＤモードで変更する場合である。Ｓ４０３でＮＯ、Ｓ４０８でＮＯと判断されるのは、通常ＭＤモードで記録されたディスクの記録モードを変更せずにデータを全て消去する場合である。Ｓ４０３でＹＥＳ、Ｓ４０８でＹＥＳと判断されるのは、Ｈｉ−ＭＤモードで記録されたディスクの記録モードを変更せずにデータを全て消去する場合である。
【００４４】
次に、Ｓ４１１において、メカ制御部５は、Ｓ４０３で選択された記録モードの管理情報を作成して、メモリ１５に保存する（Ｓ４１１）。すなわち、メカ制御部５は、管理情報をメモリ１５に入力してメモリ１５が一時的に記憶するように制御する。Ｓ４０３でＨｉ−ＭＤモードが選択された場合、メカ制御部５はＨｉ−ＭＤの管理情報をメモリ１５に保存する。Ｈｉ−ＭＤの管理情報は、ディスクにデータを記録する際にＦＡＴ上のファイルとして記録するために使用される。一方、Ｓ４０３で通常ＭＤモードが選択された場合、メカ制御部５は通常ＭＤの管理情報をメモリ１５に保存する。
【００４５】
次に、システム制御部２は、書込要求フラグを設定する（Ｓ４１２）。書込要求フラグは、メモリ１５に記憶された管理情報をディスクに記録する必要があるか否かを判断するために使用される。書込要求フラグは、内蔵ＲＡＭに記憶され、１にすることによって設定され、０にすることによって解除される。システム制御部２は、書込要求フラグが設定されていれば管理情報をディスクに書き込む必要があり、フラグが解除されていれば管理情報をディスクに書き込む必要がないと判断する。
【００４６】
一方、Ｓ４０２において、Ｈｉ−ＭＤディスクであると判断された場合（Ｓ４０２：ＹＥＳ）、システム制御部２はメカ制御部５にフォーマットコマンドを送信し（Ｓ４０９）、メカ制御部５は記録されているデータを全て消去する（Ｓ４１０）。Ｓ４１１において、Ｈｉ−ＭＤディスクはＨｉ−ＭＤモードでしかフォーマット処理を実行できないので、メカ制御部５はＨｉ−ＭＤの管理情報を作成し、メモリ１５に保存する（Ｓ４１１）。その後、システム制御部２は、書込要求フラグを設定する（Ｓ４１２）。
【００４７】
［管理情報のディスクへの書込処理（１）］
ここでは、上述の図４の処理を実行後、音楽データを１度も記録せずに（未記録状態で）、ＭＤ装置１の電源をオフ状態にする指示またはディスクを取り出す指示が入力された（すなわち、メモリ１５に記憶された管理情報を消去する）場合、それらの処理を実行する前に、管理情報をディスクに書き込む。詳細を、図５を参照して説明する。
【００４８】
システム制御部２は、Ｓ５０１およびＳ５０２において、図４の処理後、音楽データを記録することなく、メモリ１５に記憶された管理情報を消去するような指示がユーザによって入力されたか否かを判断する。ここで、メモリ１５に記憶された管理情報を消去するような指示とは、特に限定されないが、代表的には、ＭＤ装置１の電源をオフ状態（システム制御部２のみに電源を供給するスタンバイ状態を含む）にする指示、または、ディスクをＭＤ装置１から取り出す指示である。
【００４９】
具体的には、システム制御部２は、電源をオフ状態にする指示が入力された（Ｓ５０１：ＹＥＳ）、または、ディスクを取り出す指示が入力された（Ｓ５０２：ＹＥＳ）と判断すると、Ｓ４１２で書込要求フラグが設定されているか否かを判断する（Ｓ５０３）。すなわち、システム制御部２は、ディスクに管理情報を書き込む必要があるか否かを判断する。
【００５０】
書込要求フラグが設定されていれば（Ｓ５０３：ＹＥＳ）、システム制御部２はメカ制御部５に書込コマンドを送信する（Ｓ５０４）。書込コマンドは、ディスクに管理情報を書き込ませるためのコマンドである。メカ制御部５は、システム制御部２から書込コマンドを受信して、メモリ１５に記憶されている管理情報を読み出してディスクに書き込む（Ｓ５０５）。これによって、図４の処理後、音楽データを記録しなくても（未記録状態において）ディスクに管理情報を書き込むことができる。Ｓ４０３でＨｉ−ＭＤモードが選択されていればディスクをＨｉ−ＭＤモードで記録することができ、そうでなければディスクを通常ＭＤモードで記録することができる。
【００５１】
次に、システム制御部２はメカ制御部５に、通常ＭＤモードに設定するためのＨｉ−ＭＤオフコマンドを送信する（Ｓ５０６）。メカ制御部５は、システム制御部２からコマンドを受信して、Ｈｉ−ＭＤモードが設定されていれば、Ｈｉ−ＭＤモードから通常ＭＤモードに設定を変更する（Ｓ５０７）。なお、Ｓ４０７で通常ＭＤモードが設定されている場合、メカ制御部５は、システム制御部２からのコマンドを受信しても設定を変更しない（通常ＭＤモードのままである）。ディスクに管理情報を書き込んだ後、メカ制御部５の記録モードを通常ＭＤモードに変更するのは、通常ＭＤモードを記録モードのデフォルトとしている方が、ユーザにとってわかりやすいからである。
【００５２】
なお、図示しないが、Ｓ５０７を実行後、ＭＤ装置１は、Ｓ５０１またはＳ５０２でシステム制御部２が判断した内容に基づいて、電源がオフ状態になるか、または、ディスクがＭＤ装置から取り出され、処理を終了する。
【００５３】
以上のように、ユーザが、電源をオフ状態にする指示（またはディスクを取り出す指示）を入力したときに、Ｓ４１１でメモリ１５に保存したＨｉ−ＭＤまたは通常ＭＤの管理情報をディスクに書き込んだあと、ＭＤ装置１の電源をオフ状態にする（またはＭＤ装置からディスクが取り出される）。従って、記録モード設定およびデータ消去を実行した後、ディスクに音楽データを記録せずに、電源をオフ状態にする（またはディスクが取り出される）場合にも、ディスクは管理情報が書き込まれ、所望の（ユーザが選択した）記録モードで音楽データを記録することができる。
【００５４】
その結果、例えば、フォーマット実行指示を入力して音楽データを記録せずにディスクを取り出した後、記録Ｈｉ−ＭＤの管理情報が書き込まれたディスクをＭＤ装置１に挿入して音楽データを記録すると、メカ制御部５が通常ＭＤモードに設定されているとしても、ディスクから読み出したＨｉ−ＭＤの管理情報に基づいて、Ｈｉ−ＭＤモードで音楽データをディスクに記録することができる。
【００５５】
［管理情報のディスクへの書込処理（２）］
上述の場合と異なり、図４の処理の後、音楽データをディスクに記録して、音楽データの記録終了後、メカ制御部５がメモリ１５に記憶されている管理情報をディスクに書き込む処理を、図５を参照して説明する。
【００５６】
システム制御部２は、ユーザから音楽データを記録する指示が入力されたか（音楽データを記録開始するか）否かを判断する（Ｓ５０８）。音楽データを記録する指示が入力されると（Ｓ５０８：ＹＥＳ）、ＭＤ装置１は音楽データの記録を開始する（Ｓ５０９）。具体的には、メモリ１５に記憶されている管理情報に基づいて、管理情報がＨｉ−ＭＤのものであればＨｉ−ＭＤモードで音楽データをディスクに記録し、管理情報が通常ＭＤのものであれば、通常ＭＤモードで音楽データをディスクに記録する。
【００５７】
システム制御部２は、Ｓ４１２で設定した書込要求フラグを解除する（Ｓ５１０）。後述するように、ディスクに音楽データを記録した後には、メカ制御部５が管理情報をディスクに書き込むので、ＭＤ装置１の電源をオフ状態にする（またはディスク取り出す）際に、システム制御部２がメカ制御部５に、管理情報をディスクに書き込むよう指示する必要がないからである。そのため、管理情報の無駄な書き込みを防止でき、管理情報の二重書き込みによるエラーを防止できる。
【００５８】
ＭＤ装置１が音楽データの記録を終了する（Ｓ５１１）と、メカ制御部５は、メモリ１５に記憶されている管理情報を読み出してディスクに書き込む（Ｓ５０５）。その結果、メモリ１５に記憶された管理情報がＨｉ−ＭＤのものであればディスクはＨｉ−ＭＤモードのディスクになり、管理情報が通常ＭＤのものであれば通常ＭＤモードのディスクになる。以下の処理は上述と同じであるので、説明を省略する。
【００５９】
以上のように、記録モードの設定およびデータ消去後に、音楽データの記録の有無に関わりなく、ディスクに選択された記録モードの管理情報を書き込むことができる。従って、再び、当該ディスクをＭＤ装置１に挿入して音楽データを記録する際に、フォーマット指示時に選択した記録モードで音楽データを記録することができる。
【００６０】
以上、本発明の好ましい実施形態を説明したが、本発明はこれらの実施形態には限定されない。音楽データ以外に映像データおよび／または静止画等も採用され得る。なお、Ｓ４０２でＮＯ、Ｓ４０８でＮＯかつＳ４１３でＹＥＳ（Ｓ４１４，Ｓ４１５を経由せずに）と判断されるのは、ブランク状態の通常ＭＤディスクを記録モードを変更しない場合である。また、本発明は、上記の動作をコンピュータに実行させるためのコンピュータプログラムという形態で提供することもできる。
【産業上の利用可能性】
【００６１】
本発明は、ＭＤ装置だけでなく、複数の記録モードを有する様々ディスク記録再生装置に好適に採用され得る。
【図面の簡単な説明】
【００６２】
【図１】本発明の好ましい実施形態によるＨｉ−ＭＤ装置１を示すブロック図である。
【図２】通常ＭＤモードのディスクの構造を示す図である。
【図３】Ｈｉ−ＭＤモードのディスクの構造を示す図である。
【図４】記録モード設定／データ消去処理を示すフローチャートである。
【図５】管理情報書込処理を示すフローチャートである。
【符号の説明】
【００６３】
１              ＭＤ装置（記録再生装置）
２              システム制御部
２Ａ            選択部
５              メカ制御部
５Ａ            書込制御部
５Ｂ            保存制御手段
１５            メモリ（記憶デバイス）
【図１】
2006228299.tif 000003
【図２】
2006228299.tif 000004
【図３】
2006228299.tif 000005
【図４】
2006228299.tif 000006
【図５】
2006228299.tif 000007